(57)【要約】【課題】従来、スクラッチ方式やフイルム利用した秘密情報を隠蔽した隠蔽の開示シート及び印刷物が発明されていた。【解決手段】秘密情報の可変情報を指定し出力機器にて隠蔽される可変情報を施し、可変情報部分に弱粘着加工を施し、弱粘着加工部以外に強粘着加工を施し、秘密情報を開示する隠蔽開封部を設けたシート本体を折り合わせ又は張り合わせする隠蔽シートの加工方法及び隠蔽シートを提供する。【選択図】図５
2007307881.tif 000002
【特許請求の範囲】
【請求項１】
第一工程にて用紙基材に印刷を施し、隠蔽位置に隠蔽開封における開き部を設け第二工程にて前記、隠蔽開封における隠蔽位置にコンピューターにて可変情報入力し、第三工程にて前記、可変情報入力位置に剥離可能な弱粘着加工を施し、可変情報入力位置に剥離可能な弱粘着加工部外に強粘着加工を施し、第四工程にて前記、第一工程にて形成されたシート本体と前記、第二工程にて形成されたシート本体と張り合わせ圧着丁合加工を施すことを特徴とした隠蔽シートの加工方法及び隠蔽シート。
【請求項２】
第一工程にて用紙基材に印刷及び折部を設け、折部の反面に隠蔽位置に隠蔽開封における開き部を設け、第二工程にて折部の反面対象位置に隠蔽開封における隠蔽位置にコンピューターにて可変情報入力し、第三工程にて前記、可変情報入力位置に剥離可能な弱粘着加工を施し、可変情報入力位置に剥離可能な弱粘着加工部外に強粘着加工を施し、第四工程にて前記、第一工程及び第二工程にて形成されたシート本体と張り合わせ圧着製本加工を施すことを特徴とした請求項１記載の隠蔽シートの加工方法及び隠蔽シート。
【請求項３】
コンピューターにて秘密情報の可変情報を指定し出力機器にて隠蔽される可変情報を施し、隠蔽される可変情報部分に弱粘着加工を施し、さらに隠蔽される可変情報部分に弱粘着加工部以外に強粘着加工を施し、秘密情報を開示する隠蔽開封部を設けたシート本体を折り合わせ又は張り合わせすることを特徴とした請求項１及び請求項２記載の隠蔽シートの加工方法及び隠蔽シート。
【発明の詳細な説明】
【発明の属する技術の分野】
【０００１】本発明は、秘密情報を隠蔽した隠蔽の開示シート及び隠蔽シートの加工方法及び隠蔽シートの印刷物に関するものである。
【背景技術】
【０００２】従来、剥離紙の使用を省略することができる再剥離型のシート（特許公開番号Ｈ１１−７８３０６）が発明されていた。
また、表示シートを一時的に接着し必要に応じて容易に剥離できる見開き画を有する隠蔽情報を透かして見ることのできない情報隠蔽シート（特開２００５−７４６９９）が発明されていた。
【特許文献１】特許公開番号特開平１１−７８３０６
【特許文献２】特許公開番号特開２００５−７４６９９
【発明の開示】
【発明が解決しようとする課題】
【０００３】  これには次のような欠点があった。
従来、スクラッチ方式やフイルム利用した秘密情報を隠蔽した隠蔽の開示シート及び印刷物が発明されていた。【０００４】（イ）秘密情報を隠蔽した印刷物における隠蔽部の印刷基材において、圧着糊の剥離の目的において、印刷基材にフイルム加工又はラミネート加工を施す必要があった。
（ロ）秘密情報を隠蔽した印刷物における隠蔽部の印刷基材において、圧着糊の剥離の目的において、印刷基材にフイルム加工又はラミネート加工が施さされフイルム又はラミネートの分別廃棄が困難であった。
（ハ）秘密情報を隠蔽した印刷物における隠蔽部の印刷基材において、圧着糊の剥離の目的において、印刷基材にフイルム加工又はラミネート加工を施し隠蔽封印の目的において圧着糊の使用は基材全面に施されることで生産コストの増加の欠点があった。
（ニ）秘密情報を隠蔽した印刷物における隠蔽部の印刷基材において、圧着糊の剥離の目的において、印刷基材にフイルム加工又はラミネート加工を必要とせず、隠蔽封印の目的における圧着糊の部分使用により秘密情報を隠蔽した印刷物及び隠蔽シートの提案と実施がなされていなかった。
本発明は、これらの問題点を解決するためになされたものである。
【課題を解決するための手段】
【０００５】第一工程にて用紙基材に印刷を施し、隠蔽位置に隠蔽開封における開き部を設け第二工程にて前記、隠蔽開封における隠蔽位置にコンピューターにて可変情報入力し、第三工程にて前記、可変情報入力位置に剥離可能な弱粘着加工を施し、可変情報入力位置に剥離可能な弱粘着加工部外に強粘着加工を施し、第四工程にて前記、第一工程にて形成されたシート本体と前記、第二工程にて形成されたシート本体と張り合わせ圧着丁合加工を施す隠蔽シートの加工方法及び隠蔽シートを提供する。【０００６】第一工程にて用紙基材に印刷及び折部を設け、折部の反面に隠蔽位置に隠蔽開封における開き部を設け、第二工程にて折部の反面対象位置に隠蔽開封における隠蔽位置にコンピューターにて可変情報入力し、第三工程にて前記、可変情報入力位置に剥離可能な弱粘着加工を施し、可変情報入力位置に剥離可能な弱粘着加工部外に強粘着加工を施し、第四工程にて前記、第一工程及び第二工程にて形成されたシート本体と張り合わせ圧着製本加工を施す隠蔽シートの加工方法及び隠蔽シートを提供する。【０００７】コンピューターにて秘密情報の可変情報を指定し出力機器にて隠蔽される可変情報を施し、隠蔽される可変情報部分に弱粘着加工を施し、さらに隠蔽される可変情報部分に弱粘着加工部以外に強粘着加工を施し、秘密情報を開示する隠蔽開封部を設けたシート本体を折り合わせ又は張り合わせする隠蔽シートの加工方法及び隠蔽シートを提供する。
以上本発明の課題を解決するための手段として提供する。
【発明の効果】
【０００８】本発明は、コンピューターにて秘密情報の可変情報を指定し出力機器にて隠蔽される可変情報を施し、隠蔽される可変情報部分に弱粘着加工を設け、さらに隠蔽される可変情報部分に弱粘着加工部以外に強粘着加工を施し、秘密情報を開示する隠蔽開封部を設けたシート本体を折り合わせ又は張り合わせする隠蔽シートの加工方法及び隠蔽シートを提供するものである。【０００９】本発明の効果により、秘密情報を隠蔽した印刷物における隠蔽部の印刷基材のフイルム加工又はラミネート加工を必要とせず、コンピューターにて秘密情報の可変情報の指定手段を具備し出力機器にて隠蔽される秘密情報の可変情報加工がなされることで、任意の情報の入力を可能とし従来加工コストに比較し最小のコストにて隠蔽シートの提供が可能となる。【００１０】本発明の効果により秘密情報を隠蔽した印刷物において従来に比較した容易な技術提供と印刷基材におけるコストの削減が実現される。
本発明は、以上の効果を実現するものである。
【発明を実施するための最良の形態】
【００１１】  以下、本発明の実施の形態について図１乃至図６をもちいて説明する。
図１に記載されているのは、本発明隠蔽シート加工工程（１０）の実施構成を示したチャート図で印刷基材にて隠蔽シート印刷及び折加工（１０１）のをおこない、隠蔽シート開閉抜き加工（１０２）をおこない、隠蔽シート開閉抜き加工部位置にコンピューター入力（１０３）可変情報入力をおこない隠蔽可変データプリントアウト（１０４）後、隠蔽部弱糊加工（１０５）をおこない隠蔽部弱糊加工（１０５）部以外は隠蔽部弱糊加工部外強粘着加工（１０６）後、隠蔽シート貼り合わせ加工又は製本加工（１０７）にて本発明隠蔽シートが作成される。
本明細の図面において記載していないが、隠蔽シート開閉抜き加工部位置にコンピューター入力（１０３）可変情報は必要に応じてコンピューター及びプリンターの活用にて数字、記号、文字、絵柄等の印字が可能とされるものである。【００１２】図２に記載されているのは、本発明隠蔽シートａ（２０ａ）の実施構成を示した実施の形態図で印刷基材に隠蔽シートの必要情報の印刷を施し、抜き型又はミシン、スリッター加工にて隠蔽開閉部（２０１）を設ける。
隠蔽開閉部（２０１）は、折り込み又は貼りあわせにて加工される、表示部と同じ位置に設けられるものである。
隠蔽開閉部（２０１）は必要に応じて任意の形状にて加工されることも可能である。【００１３】図３に記載されているのは隠蔽シートｂ（２０ｂ）で、前記、隠蔽シートａ（２０ａ）に張り合わされるもので、隠蔽シートａ（２０ａ）に設けられた隠蔽開閉部（２０１）から剥離表示される、隠蔽シートｂ（２０ｂ）の表示（３０２）が設けられ、表示（３０２）は、コンピューター入力にて可変情報が入力され、プリントアウトされる部分として、隠蔽部（３０１）が設けられる。
本隠蔽シート作成において、隠蔽シートｂ（２０ｂ）と隠蔽シートａ（２０ａ）が丁合され、隠蔽シートｂ（２０ｂ）の表示（３０２）及び隠蔽部（３０１）が開封されるために剥離可能な弱粘着（３０３）加工が施される。
隠蔽部（３０１）及び弱粘着（３０３）部以外は強粘着（３０４）加工が施され、隠蔽シートｂ（２０ｂ）と隠蔽シートａ（２０ａ）が丁合加工される。【００１４】図４に記載されているのは前記、図２、３に記載される隠蔽シートａ（２０ａ）と隠蔽シートｂ（２０ｂ）を丁合い加工される経過を示した図である。【００１５】図５に記載されているのは前記、図２、３、４に記載される隠蔽シートａ（２０ａ）と隠蔽シートｂ（２０ｂ）を丁合い加工された実施の形態を示した図である。【００１６】図６に記載されているのは、加工の応用例で前記、図２、３、に記載される隠蔽シートａ（２０ａ）と隠蔽シートｂ（２０ｂ）が一枚のシートにて、構成されるもので必要に応じて折り込製本丁合にて隠蔽シートが実施される形態を示した図である。
以上、本発明の構成で、実施において下記に示す。【００１７】本発明の実施
本発明は、秘密情報を隠蔽した印刷物における隠蔽部の印刷基材において、圧着糊の剥離の目的において、印刷基材にフイルム加工又はラミネート加工及びスクラッチ加工を必要とせず、隠蔽開封の目的における圧着糊の部分使用により秘密情報を隠蔽した印刷物及び隠蔽シートの提供の実施をするものである。【００１８】本発明の実施はくじ引きや販売促進における抽選などに実施されるもので、また隠蔽表示位置に可変情報データをコンピューターにて秘密情報の可変情報の指定手段を具備し出力機器にて隠蔽される秘密情報の可変情報加工がなされることで、任意の情報の入力を可能とし従来加工コストに比較し最小のコストにて隠蔽シートの提供が可能となる。
以上、本発明は実施される。
【産業上の利用可能性】
【００１９】本発明の産業上の利用可能性により、秘密情報を隠蔽した印刷物における隠蔽部の印刷基材のフイルム加工又はラミネート加工及びスクラッチ加工を必要とせず、コンピューターにて秘密情報の可変情報の指定手段を具備し出力機器にて隠蔽される秘密情報の可変情報加工がなされることで、任意の情報の入力を可能とし従来加工コストに比較し最小のコストにて隠蔽シートの提供が可能となることから産業上、くじ引きや販売促進、イベント等における抽選などに実施されるものである。
本発明の産業上の利用可能性により秘密情報を隠蔽した印刷物において従来に比較した容易な技術提供と印刷基材におけるコストの削減が実現され、本発明隠蔽シートの加工方法及び隠蔽シートはくじ引きや販売促進に抽選など、隠蔽シートによる企画販売が産業上利用される。
本発明は、以上の構成より産業上利用されるものである。
【図面の簡単な説明】
【００２０】
【図１】  本発明隠蔽シート加工におけるチャートの図である。
【図２】  本発明隠蔽シートの本体ａの図である。
【図３】  本発明隠蔽シートの本体ｂの図である。
【図４】  本発明隠蔽シートの本体ａと本体ｂの貼り合せの経過図である。
【図５】  本発明隠蔽シートの本体ａと本体ｂが丁合された実施の図である。
【図６】  本発明隠蔽シートの加工応用実施例の図である。
【符号の説明】
【００２１】１０．  隠蔽シート加工工程
１０１．隠蔽シート印刷及び折加工
１０２．隠蔽シート開閉抜き加工
１０３．隠蔽可変データコンピューター入力
１０４．隠蔽可変データプリントアウト
１０５．隠蔽部弱粘着加工
１０６．隠蔽部弱粘着加工部外強粘着加工
１０７．隠蔽シート貼り合せ加工又は製本加工
２０ａ．隠蔽シートａ
２０１．隠蔽開閉部
２０ｂ．隠蔽シートｂ
３０１．隠蔽部
３０２．表示
３０３．弱粘着
３０４．強粘着
３０ｃ．隠蔽シートｃ
【図１】
2007307881.tif 000003
【図２】
2007307881.tif 000004
【図３】
2007307881.tif 000005
【図４】
2007307881.tif 000006
【図５】
2007307881.tif 000007
【図６】
2007307881.tif 000008